(57)【要約】【課題】  かご室内の乗客によるいたずらや、うっかりと長尺物を押し当ててしまうことなどによっても天井照明板の天井目地からの脱落を防止する。【解決手段】  光源体４の点検や取替え時には、作業者が天井目地６の横に垂れている、てぐす等の紐１２の環に指か専用具を引掛けて紐１２を引き下げ、押え金移動調整装置１４のバネ部材１４ｄ，１４ｅの引張り力に抗して天井照明板押え金９を天井照明板７の凸部７ａと係合しない関係になる第２の位置までに移動させることにより、天井照明板７を上方向に移動させ容易に取り外すことができる。作業終了後は、天井照明板７を天井目地６上の元の位置に戻せば、押え金移動調整装置１４のバネ部材１４ｄ，１４ｅの引張り力により、天井照明板押え金９が天井照明板７の凸部７ａと係合する第１の所定位置に復帰するので、天井照明板６は天井照明板押え金９によって再び係止保持され、上方向への移動が拘束される。【選択図】図１
2005104692.tif 000002
【特許請求の範囲】
【請求項１】
かご室天蓋に配設された光源体を取り囲むようにかご室壁に近接して光源体隠し板を設け、この光源体隠し板の下方周縁に取付けられた天井目地上に上記光源体と対向するように天井照明板を保持するエレベータかご室の天井照明装置において、
上記天井目地の上記光源体側に移動可能に設けられ、第1の所定位置において上記天井照明板の一端を係止保持する天井照明板押え金と、
この天井照明板押え金の一端に結合され、上記光源体の点検・取替時において上記天井照明板押え金を上記天井照明板の係止を解除する第２の位置に移動させるように、上記天井目地の外部から操作される操作手段と、
上記天井照明板押え金が設けられた上記天井目地の上記光源体側に固定されると共に、上記天井照明板押え金の他端と結合され、上記天井照明板押え金を上記第２の位置から上記第１の所定位置に復帰させるように作用する押え金移動調整装置とを
備えたことを特徴とするエレベータかご室の天井照明装置。
【請求項２】
上記天井照明板の一端には凹凸部が形成され、上記天井照明板押え金は上記第１の位置において上記天井照明板の凸部と係合し、上記第２の位置においては上記天井照明板の凸部と非係合の関係となるようにしたことを特徴とする請求項1記載のエレベータかご室の天井照明装置。
【請求項３】
上記操作手段は、一端を上記天井照明板押え金に結合され、他端を上記天井目地の外部に引き出された紐であることを特徴とする請求項１または２記載のエレベータかご室の天井照明装置。
【請求項４】
上記紐として、てぐすを用い、その一端を上記天井照明板押え金に固着すると共に、他端を上記天井目地に固定された滑車に数回巻き付けた後、上記天井目地の外部に環にして垂らしたことを特徴とする請求項３記載のエレベータかご室の天井照明装置。
【請求項５】
上記押え金移動調整装置は、上記天井目地に固定された筒部材と、この筒部材内に直列に収容された一対のバネ部材と、この一対のバネ部材間に移動自在に介装された移動調整金具と、一端が上記移動調整金具に固着され、他端が上記筒部材を貫通して上記天井照明板押え金に結合された紐とで構成されていることを特徴とする請求項1ないし４記載のいずれかに記載のエレベータかご室の天井照明装置。
【発明の詳細な説明】
【技術分野】
【０００１】
この発明は、エレベータかご室の天井照明装置に関するものである。
【背景技術】
【０００２】
従来のエレベータかご室の天井照明装置としては、特許文献１に見られるようなものがある。これは、透光部が設けられて一側がかご室の固定部に枢着されて下側に回動可能に
構成されかご室の天井板の下側に空隙を形成して配置された吊り天井板と、この吊り天井板を上昇位置に保持する掛止手段と、吊り天井板の上面に装着された光源体とを設けたものであり、これによって、かご室照明装置の光源体の保守作業時には、吊り天井板を下方に開放して、光源体を吊り天井板と共に下方の開放場所へ移動させ、光源体の保守作業を容易化、また安全化するものである。
【０００３】
【特許文献１】特開平６−９１７７号公報（段落００１６及び図２）
【発明の開示】
【発明が解決しようとする課題】
【０００４】
しかし、このようにエレベータかご室の天井照明装置では、天井照明板は、例えば光源体である蛍光灯の球切れや長時間の使用による照度の低下によりこれを点検したり取替えるため一般的に天井照明板をかご室内側から内側に取り外すようになされている。このため天井照明板はかご室内側から挿入して取付けることができる大きさに作られているため、かご室内の乗客によるいたずらや、うっかりと長尺物を押し当ててしまうことにより天井目地から脱落させてしまう恐れがある。その結果、かご室内の乗客の身体に当って怪我を負わしめる恐れがある。
【０００５】
この発明は、上述のような課題を解決するためになされたもので、かご室内の乗客によるいたずらや、うっかりと長尺物を押し当ててしまっても天井照明板が天井目地から簡単に脱落することがないようにしたエレベータかご室の天井照明装置を提供するものである。
【課題を解決するための手段】
【０００６】
この発明は、かご室天蓋に配設された光源体を取り囲むようにかご室壁に近接して光源体隠し板を設け、この光源体隠し板の下方周縁に取付けられた天井目地上に上記光源体と対向するように天井照明板を保持するエレベータかご室の天井照明装置において、上記天井目地の上記光源体側に摺動可能に設けられ、第１の所定位置において上記天井照明板の一端を係止保持する天井照明板押え金と、この天井照明板押え金の一端に結合され、上記光源体の点検・取替時において上記天井照明板押え金を上記天井照明板の係止を解除する第２の位置に移動させるように、上記天井目地の外部から操作される操作手段と、上記天井照明板押え金が設けられた上記天井目地の上記光源体側に固定されると共に、上記天井照明板押え金の他端と結合され、上記天井照明板押え金を上記第２の位置から上記第１の所定位置に復帰させるように作用する押え金移動調整装置とを備えている。
【発明の効果】
【０００７】
この発明に係るエレベータかご室の天井照明装置は、以上のように構成されているため、天井照明板押え金を操作手段によって移動させない限り天井照明板を取外すことができず、かご室内の乗客によるいたずらや、うっかりと長尺物を押し当ててしまうことにより発生する天井照明板の脱落を確実に防止できる上、押え金移動調整装置により天井照明板押え金を元の位置に復帰させることにより天井照明板を容易に係止保持できるという利点がある。
【発明を実施するための最良の形態】
【０００８】
実施の形態
図１は、この発明の実施の形態におけるエレベータかご室の天井照明装置の平面図、図２は図１のＡ−Ａ線に沿う縦断面図、図３は図１のＢ−Ｂ線に沿う縦断面図、図４は図２の天井照明板押え金部分の要部側面図、図５は図２の押え金移動調整装置部分を示す要部断面図である。
【０００９】
図において、かご室１はかご室天蓋２とかご室壁３を有している。かご室天蓋２には蛍光灯等の複数の光源体４が適当な位置に配設され、この光源体４の周囲を取り囲むようにかご室壁３に近接して光源体隠し板５が設けられている。そして、図１に示すように、この光源体隠し板５の下方周縁に、四周目地部６ａと中央目地部６ｂを有する田字状の天井目地６が取付けられ、この天井目地６上に光源体４と対向するように４枚の天井照明板７が保持されている。この実施形態では、図２に示すように、天井照明板７は断面凹状の四角形に形成され、その周縁部が天井目地６の上面に係合する大きさを有している。
【００１０】
これら４枚の天井照明板７は、図３に示すように、その一端を天井目地６の四周目地部６ａに設けられた押えゴム８によって保持されると共に、他端に凹凸部が形成され、その凸部７ａを天井目地６の中央目地部６ｂに設けられた２個の天井照明板押え金９によって係止保持されている。（図では便宜上１個の天井照明板押え金のみを示している）
各天井照明板押え金９は、図４に示すように天井目地６の中央目地部６ｂにネジ１０によって固定された支持金具１１上に水平方向に移動可能に設けられ、図１に示すように第１の所定位置で、対向する一対の天井照明板７，７の凸部７ａ，７ａと係合する係合部９ａ、９ａを有している。
【００１１】
そして、各天井照明板押え金９の一端には、操作手段として、てぐす等の紐１２が固着され、図２に示すように紐１２の他端は天井目地６の四周目地部６ａに固定された滑車１３に数回巻き付けられた後、天井目地６の外部に環にして垂らされ、光源体４の点検・取替時において作業者がこの紐１２を引き下げることによって、天井照明板押え金９を天井照明板７、７の係止を解除する第２の位置（図１破線位置）に移動させ得るようになっている。
また、各天井照明板押え金９の他端は、天井照明板押え金９に引張り力を付与し天井照明板７の凸部７ａと係合する第１の所定位置に復帰させるように作用する押え金移動調整装置１４と結合されている。
【００１２】
この押え金移動調整装置１４は、天井目地６の中央目地部６ｂが交差する中央位置に２個の天井照明板押え金に対して共用的に設けられおり、図５に示すように、天井目地６に取付金具１４ａにネジ１４ｂによって固定された筒部材１４ｃと、この筒部材１４ｃ内に直列に収容された一対のバネ部材１４ｄ，１４ｅと、この一対のバネ部材１４ｄ，１４ｅ間に移動自在に介装された移動調整金具１４ｆと、この移動調整金具１４ｆの両面にそれぞれ一端が固着され、他端がそれぞれ筒部材１４ｃを貫通して別個の天井照明板押え金９に結合される２本の紐１４ｇ、１４ｈとで構成されている。
なお、この実施形態では、４枚の天井照明板７に対し、天井照明板押え金９が２個、押え金移動調整装置１４が１個の構成になされているが、天井照明板７の枚数や天井照明板押え金９、押え金移動調整装置１４の個数は任意に変更可能である。
【００１３】
しかして、このような構成において、光源体４の点検や取替え時には、作業者が天井目地６の横に垂れている、てぐす等の紐１２の環に指か専用具を引掛けて紐１２を引き下げ、押え金移動調整装置１４のバネ部材１４ｄ，１４ｅの引張り力に抗して天井照明板押え金９を天井照明板７の凸部７ａと係合しない関係になる第２の位置までに移動させることにより、天井照明板７を上方向に移動させ容易に取り外すことができる。
そして、作業終了後は、天井照明板７を天井目地６うえの元の位置に戻せば、押え金移動調整装置１４のバネ部材１４ｄ，１４ｅの引張り力により、天井照明板押え金９が天井照明板７の凸部７ａと係合する第１の所定位置に復帰するので、天井照明板６は天井照明板押え金９によって再び係止保持され、上方向への移動が拘束される。
【００１４】
このように天井照明板７は、通常は一端を天井照明板押え金９により上方向への移動を拘束されているので、かご室内の乗客によるいたずらや、うっかりと長尺物を押し当ててしまうことによって天井照明板７が脱落するのを確実に防止できる。
また、光源体４の点検や取替え時には、天井照明板押え金９を移動させ天井照明板７の拘束状態を解除することにより、天井照明板７を取り外して必要な作業を行なうことができる上、作業後は、天井照明板７を天井目地６の元の位置に戻すことにより、天井照明板押え金９および押え金移動調整装置１４により天井照明板７を自動的に拘束することができる。
【産業上の利用可能性】
【００１５】
この発明はエレベータに用いることができる。
【図面の簡単な説明】
【００１６】
【図１】この発明の実施の形態におけるエレベータかご室の天井照明装置の平面図である。
【図２】図１のＡ−Ａ線に沿う縦断面図である。
【図３】図１のＢ−Ｂ線に沿う縦断面図である。
【図４】図２の天井照明板押え金部分の要部側面図である。
【図５】図２の押え金移動調整装置部分を示す要部断面図である。
【符号の説明】
【００１７】
１  かご室、２  かご室天蓋、３  かご室壁、４  光源体、５  光源体隠し板、
６  天井目地、６ａ  四周目地部、６ｂ  中央目地部、７  天井照明板、７ａ  凸部、
８  押えゴム、９  天井照明板押え金、９ａ  係合部、１０  ネジ、１１  支持金具、１２  紐、１３  滑車、１４  押え金移動調整装置、１４ａ  取付金具、１４ｂ  ネジ、１４ｃ  筒部材、１４ｄ，１４ｅ  バネ部材、１４ｆ  移動調整金具、
１４ｇ，１４ｈ  紐
【図１】
2005104692.tif 000003
【図２】
2005104692.tif 000004
【図３】
2005104692.tif 000005
【図４】
2005104692.tif 000006
【図５】
2005104692.tif 000007